【事件の表示】
　特願２００５−２７０６７４「ディスプレイ駆動回路及びその方法並びにそれを用いたマルチパネルディスプレイ」拒絶査定不服審判事件〔平成１８年　４月２０日出願公開、特開２００６−１０６７３１〕について、次のとおり審決する。
【結　論】
　本件審判の請求は、成り立たない。
【理　由】
１．手続きの経緯
　本願は、平成１７年９月１６日（パリ条約による優先権主張２００４年１０月８日、米国）の出願であって、平成２１年６月１２日付け（発送日平成２１年６月１６日）で拒絶査定がなされ、これに対し、平成２１年１０月１４日に拒絶査定に対する審判請求がなされるとともに、同時に手続補正がなされたものである。
　
２．手続き補正についての補正却下の決定
　［補正却下の決定の結論］
　平成２１年１０月１４日付けの手続補正（以下、「本件補正」という。）を却下する。
　［理由］
　本件補正は、補正前の特許請求の範囲の
　
「　【請求項１】
　第１パネルと第２パネルを駆動するディスプレイ駆動回路であって、
　前記第２パネルの複数のデータ線を駆動するデータドライバー、及び
　前記第２パネルのデータ線に接続され、前記第１パネルがオン状態で前記第２パネルがオフ状態のときに、前記第２パネルのデータ線に参照電圧を印加する電位スイッチ回路　を含むディスプレイ駆動回路。
　
　　【請求項２】
　前記参照電位を前記データ線に印加するかどうかを決めるためにスイッチ制御信号を前記電位スイッチ回路に伝達する制御バス、及び
　前記データドライバーに信号を供給し、前記制御バスに前記スイッチ制御信号を供給するコントローラー
　を含む請求項１に記載のディスプレイ駆動回路。
　
　　【請求項３】
　前記制御バスは前記第２パネルの複数のゲート線を駆動するゲートドライバーを経て前記コントローラーから前記第１パネルがオン状態で前記第２パネルがオフ状態のときに前記電位スイッチ回路が前記データ線に前記参照電位を印加するのを可能にする前記スイッチ制御信号を受信して前記電位スイッチ回路に伝達する請求項２に記載のディスプレイ駆動回路。
　
　　【請求項４】
　前記電圧制御回路は複数のスイッチを含み、前記各スイッチの１端は前記参照電位に接続され、前記各スイッチの他の１端は対応する前記データ線の１つに接続され、ここで、前記複数のスイッチの少なくとも１つはスイッチ制御信号に応じてオン／オフされる
　請求項１に記載のディスプレイ駆動回路。
　
　　【請求項５】
　前記複数のスイッチの少なくとも１つが、
　第１のソース／ドレイン、第２のソース／ドレイン及びゲートを含む第１のＭＯＳであって、前記第１のＭＯＳの第１のソース／ドレインは前記参照電位に接続され、前記第１のＭＯＳのゲートは前記スイッチ制御信号を受信する、前記第１のＭＯＳ、及び
　第１のソース／ドレイン、第２のソース／ドレイン及びゲートを含む第２のＭＯＳであって、前記第２のＭＯＳの第１のソース／ドレインは前記第１のＭＯＳの第２のソース／ドレインに接続され、前記第２のＭＯＳの第２のソース／ドレインは対応する１つの前記データ線及び前記スイッチ制御信号を受信する第２のＭＯＳのゲートに接続される第２のＭＯＳ
　を含む請求項４に記載のディスプレイ駆動回路。
　
　　【請求項６】
　マルチパネルディスプレイのディスプレイ駆動方法であって、
　マルチパネルディスプレイの複数のパネルのうちの１つのパネルの複数のデータ線にデータ信号を送信し、及び
　前記１つのパネルがオフとなり、少なくとも他の１つのパネルがオンとなるときに参照電位をデータ線に供給する
　ことを含み、
　前記マルチパネルディスプレイの複数のパネルのうちの前記１つのパネルの複数のデータ線にデータ信号を送信する工程が
　　データ線を画像源に接続し、及び
　　画像源からデータ線にデータ信号を送信する
　　ことを含み、
　前記１つのパネルがオフとなり、少なくとも他の１つのパネルがオンとなるときに参照電位をデータ線に供給する工程が
　　前記１つのパネルがオフになるとき前記１つのパネルのデータ線を画像源から切断し、及び
　　参照電位をデータ線に供給する
　ことを含むマルチパネルディスプレイのディスプレイ駆動方法。
　
　　【請求項７】
　複数のデータ信号を供給するコントローラー、
　データ信号を受信するために前記コントローラーに接続される複数の第１のデータ線を含む第１のパネル、
　データ信号を受信するために前記コントローラーに接続される複数の第２のデータ線を含む第２パネル、
　スイッチ制御信号に応じて前記第２のデータ線に参照電位を供給するための、前記第２のデータ線に接続される電位スイッチ回路
　を含み、
　前記第１のパネルがオンとなり前記第２のパネルがオフとなるとき、前記スイッチ制御信号は前記電位スイッチ回路が前記参照電位を前記第２のデータ線に供給することを可能にする、
　マルチパネルディスプレイ。
　
　　【請求項８】
　前記第２のパネルがオフのときにインターフェイスが前記コントローラーから前記第２のデータ線を切断するインターフェイスをさらに含む請求項７に記載のマルチパネルディスプレイ。
　
　　【請求項９】
　前記第２のパネルが該第２のパネルの複数のゲート線を駆動するゲートドライバーをさらに含み、前記スイッチ制御信号が前記コントローラーによって発生し、前記ゲートドライバーを経て前記電位スイッチ回路に伝達される請求項７に記載のマルチパネルディスプレイ。
　
　　【請求項１０】
　前記第１のパネルがメインパネルであり、前記第２のパネルがサブパネルである請求項７に記載のマルチパネルディスプレイ。
　
　　【請求項１１】
　前記第１のパネルがサブパネルであり、前記第２のパネルがメインパネルである請求項７に記載のマルチパネルディスプレイ。
　
　　【請求項１２】
　請求項７に記載のマルチパネルディスプレイ、及び
　画像データをディスプレイ装置に供給するための入力モジュール
　を含む電子装置。」
　
を、
　
「　【請求項１】
　第１パネルと第２パネルを駆動するディスプレイ駆動回路であって、
　前記第２パネルの複数のデータ線を駆動するデータドライバー、
　前記第２パネルのデータ線に接続され、前記第１パネルがオン状態で前記第２パネルがオフ状態のときに、前記第２パネルのデータ線に参照電圧を印加する電位スイッチ回路、
　前記参照電位を前記第２パネルのデータ線に印加するかどうかを決めるためにスイッチ制御信号を前記電位スイッチ回路に伝達する制御バス、及び
　前記第１パネル及び第２パネルのデータ線にデータ信号を供給するコントローラーであって、前記データドライバーに信号を供給し、前記制御バスに前記スイッチ制御信号を供給するコントローラーを含み、
　前記制御バスは前記第２パネルの複数のゲート線を駆動するゲートドライバーを経て前記コントローラーから前記第１パネルがオン状態で前記第２パネルがオフ状態のときに前記電位スイッチ回路が前記データ線に前記参照電位を印加するのを可能にする前記スイッチ制御信号を受信して前記電位スイッチ回路に伝達し、
　前記電位スイッチ回路は複数のスイッチを含み、前記各スイッチの１端は前記参照電位に接続され、前記各スイッチの他の１端は対応する前記データ線の１つに接続され、ここで、前記複数のスイッチの少なくとも１つはスイッチ制御信号に応じてオン／オフされる、
　ディスプレイ駆動回路。
　
　　【請求項２】
　前記複数のスイッチの少なくとも１つが、
　第１のソース／ドレイン、第２のソース／ドレイン及びゲートを含む第１のＭＯＳであって、前記第１のＭＯＳの第１のソース／ドレインは前記参照電位に接続され、前記第１のＭＯＳのゲートは前記スイッチ制御信号を受信する、前記第１のＭＯＳ、及び
　第１のソース／ドレイン、第２のソース／ドレイン及びゲートを含む第２のＭＯＳであって、前記第２のＭＯＳの第１のソース／ドレインは前記第１のＭＯＳの第２のソース／ドレインに接続され、前記第２のＭＯＳの第２のソース／ドレインは対応する１つの前記データ線及び前記スイッチ制御信号を受信する第２のＭＯＳのゲートに接続される第２のＭＯＳ
　を含む請求項１に記載のディスプレイ駆動回路。
　
　　【請求項３】
　マルチパネルディスプレイのディスプレイ駆動方法であって、
　マルチパネルディスプレイの複数のパネルのうちの１つのパネルの複数のデータ線にデータ信号を送信し、及び
　前記１つのパネルがオフとなり、少なくとも他の１つのパネルがオンとなるときに参照電位をデータ線に供給する
　ことを含み、
　前記マルチパネルディスプレイの複数のパネルのうちの前記１つのパネルの複数のデータ線にデータ信号を送信する工程が
　データ線を画像源に接続し、及び
　画像源からデータ線にデータ信号を送信する
　ことを含み、
　前記１つのパネルがオフとなり、少なくとも他の１つのパネルがオンとなるときに参照電位をデータ線に供給する工程が
　前記１つのパネルがオフになるとき前記１つのパネルのデータ線を画像源から切断し、
及び
　参照電位をデータ線に供給する
　ことを含むマルチパネルディスプレイのディスプレイ駆動方法。
　
　　【請求項４】
　複数のデータ信号を供給するコントローラー、
　データ信号を受信するために前記コントローラーに接続される複数の第１のデータ線を含む第１のパネル、
　データ信号を受信するために前記コントローラーに接続される複数の第２のデータ線を含む第２パネル、
　スイッチ制御信号に応じて前記第２のデータ線に参照電位を供給するための、前記第２のデータ線に接続される電位スイッチ回路
　を含み、
　前記第１のパネルがオンとなり前記第２のパネルがオフとなるとき、前記スイッチ制御信号は前記電位スイッチ回路が前記参照電位を前記第２のデータ線に供給することを可能にし、
　前記第２のパネルが該第２のパネルの複数のゲート線を駆動するゲートドライバーをさらに含み、前記スイッチ制御信号が前記コントローラーによって発生し、前記ゲートドライバーを経て前記電位スイッチ回路に伝達される、
　マルチパネルディスプレイ。
　
　　【請求項５】
　前記第２のパネルがオフのときにインターフェイスが前記コントローラーから前記第２のデータ線を切断するインターフェイスをさらに含む請求項４に記載のマルチパネルディスプレイ。
　
　　【請求項６】
　前記第１のパネルがメインパネルであり、前記第２のパネルがサブパネルである請求項４に記載のマルチパネルディスプレイ。
　
　　【請求項７】
　前記第１のパネルがサブパネルであり、前記第２のパネルがメインパネルである請求項４に記載のマルチパネルディスプレイ。
　
　　【請求項８】
　請求項４に記載のマルチパネルディスプレイ、及び
　画像データをディスプレイ装置に供給するための入力モジュール
　を含む電子装置。」
　
と補正するものである。
　
　上記補正は、
補正前の請求項１を
「前記参照電位を前記第２パネルのデータ線に印加するかどうかを決めるためにスイッチ制御信号を前記電位スイッチ回路に伝達する制御バス、及び
　前記第１パネル及び第２パネルのデータ線にデータ信号を供給するコントローラーであって、前記データドライバーに信号を供給し、前記制御バスに前記スイッチ制御信号を供給するコントローラーを含み、
　前記制御バスは前記第２パネルの複数のゲート線を駆動するゲートドライバーを経て前記コントローラーから前記第１パネルがオン状態で前記第２パネルがオフ状態のときに前記電位スイッチ回路が前記データ線に前記参照電位を印加するのを可能にする前記スイッチ制御信号を受信して前記電位スイッチ回路に伝達し、
　前記電位スイッチ回路は複数のスイッチを含み、前記各スイッチの１端は前記参照電位に接続され、前記各スイッチの他の１端は対応する前記データ線の１つに接続され、ここで、前記複数のスイッチの少なくとも１つはスイッチ制御信号に応じてオン／オフされる、」、
補正前の請求項７を
「前記第２のパネルが該第２のパネルの複数のゲート線を駆動するゲートドライバーをさらに含み、前記スイッチ制御信号が前記コントローラーによって発生し、前記ゲートドライバーを経て前記電位スイッチ回路に伝達される、」
と限定するものであるから、
　平成１８年改正前特許法第１７条の２第４項第２号の特許請求の範囲の減縮を目的とするものに該当する。
　そこで、本件補正後の請求項１に係る発明（以下、「本件補正発明１」という。）が特許出願の際独立して特許を受けることができるものであるかどうか（平成１８年法律第５５号改正附則第３条第１項により、なお従前の例によるとされる同法による改正前の特許法第１７条の２第５項において準用する同法第１２６条第５項の規定に適合するか）について検討する。
　
（１）引用例記載の発明
　原査定の拒絶の理由に引用された本願の優先権主張の日前である平成１５年７月３０日に頒布された特開２００３−２１６１１６号公報（以下、「引用例１」という。）には、図面とともに、
　
（１−１）
「【００２３】
【発明の実施の形態】以下、図１を参照して、本発明による実施形態の表示装置３０を説明する。
【００２４】本実施形態の表示装置３０は図１に示すように、第１表示部２および第２表示部４と、第１表示部２および第２表示部４の駆動を制御する制御回路６とを有する。」
　
（１−２）
「【００５０】コントロール回路５０２において、駆動モード制御回路２４は、第１走査線ドライバ制御回路５０４と第１信号線ドライバ制御回路５０６とに接続されており、駆動モード制御回路２４から出力される駆動モード切替信号が、第１走査線ドライバ制御回路５０４と第１信号線ドライバ制御回路５０６とに供給される。この第１走査線ドライバ制御回路５０４および第１信号線ドライバ制御回路５０６はそれぞれ、駆動モード切替信号に応じて、所定の信号を第１走査線ドライバ１１０および第１信号線ドライバ１１２に出力する動作と出力しない動作とを行う。以上のような動作により、駆動モード切替信号に応じて、透過型液晶表示部２の表示モードと非表示モードとが切替えられる。
【００５１】なお、第１走査線ドライバ制御回路５０４は、第１走査線ドライバ１１０を動作させるための電源電圧、第１表示部２に設けられているＴＦＴをＯＮするための走査電圧、第１表示部２に設けられているＴＦＴをＯＦＦするための走査電圧、垂直シフトクロック信号、および垂直スタートパルス信号を第１走査線ドライバ１１０に供給する。第１走査線ドライバ１１０では、垂直スタートパルスが垂直シフトクロック信号に同期され、液晶駆動用信号が出力される。液晶駆動用信号は、複数の第１走査線１０９にシフトしながら順次出力される。例えば第１走査線１０９が２４０ライン存在する場合、液晶駆動用信号は、１ラインから２４０ラインの順に、順次シフトしながら出力される。」
　
（１−３）
「【００５５】液晶表示装置１００は例えば図６に示されるような携帯電話に好適に利用可能である。図６の携帯電話では、表示部で表示すべき全情報のうち、常時必要な情報である、日付や時刻その他電波状況・電池残量等の情報は、消費電力のより小さい反射型液晶表示部４で表示される。一方、待ち受け時や通話時には表示の必要が無い情報である、電話番号や氏名住所等の情報は、消費電力のより大きい透過型液晶表示部２で表示される。すなわち表示モードが維持されている反射型液晶表示部４では常時必要な情報を表示し続け、表示モードと非表示モードとが切り替えられる透過型液晶表示部２では、常時表示が必要とされない情報を必要なときだけ表示する。このように透過型液晶表示部２の表示モードと非表示モードとが切り替えられるので、液晶表示装置１００の消費電力を低くすることができる。」
　
（１−４）
「【００５９】表示装置１００では、第１走査線ドライバ用パワーセーブ信号２４ａおよび第１信号線ドライバ用パワーセーブ信号２４ｂがロウであるときに、透過型液晶表示部２は非表示モードに切り替えられ、第１走査線ドライバ用パワーセーブ信号２４ａおよび第１信号線ドライバ用パワーセーブ信号２４ｂがハイであるときに、透過型液晶表示部２は表示モードに切り替えられる。まず、透過型液晶表示部２を非表示モードにする場合について説明する。
【００６０】まず、ロウである第１走査線ドライバ用パワーセーブ信号２４ａおよび第１信号線ドライバ用パワーセーブ信号２４ｂがそれぞれ、第１走査線ドライバ制御回路５０４および第１信号線ドライバ制御回路５０６に入力される。これにより、例えば最も近い次のクロックの立ち上がりから、第１走査線ドライバ制御回路５０４および第１信号線ドライバ制御回路５０６はいずれも高インピーダンス状態となり、第１走査線ドライバ制御回路５０４および第１信号線ドライバ制御回路５０６からは所定の信号が出力されない。これにより、第１走査線ドライバ１１０および第１信号線ドライバ１１２に所定の信号が供給されず、透過型液晶表示部２では表示が行われない。」
　
が記載されている。
　
　したがって、これらの記載によると、引用例１には、次のとおりの発明
　
【引用例１に記載された発明】
「液晶表示パネル１０１の第２液晶表示部４部分（第１パネルに相当。）と液晶表示パネル１０１の第１液晶表示部２部分（第２パネルに相当。）を駆動（駆動に相当。）する制御回路６（ディスプレイ駆動回路に相当。）であって、
　前記液晶表示パネル１０１の第１液晶表示部２部分（第２パネルに相当。）の複数の第１信号線１１１（複数のデータ線に相当。）を駆動する第１信号線ドライバ１１２（データドライバーに相当。）を含み、
　　前記液晶表示パネル１０１の第２液晶表示部４部分（第１パネルに相当。）が表示モード（オン状態に相当。）で前記液晶表示パネル１０１の第１液晶表示部２部分（第２パネルに相当。）が非表示モード（オフ状態に相当。）とし、　　　　　　　　　　　　　
　前記液晶表示パネル１０１の第２液晶表示部４部分（第１パネルに相当。）及び液晶表示パネル１０１の第１液晶表示部２部分（第２パネルに相当。）の第２信号線１０７及び第１信号線１１１（データ線に相当。）にデータ信号を供給するコントロール回路５０２（コントローラーに相当。）であって、前記第１信号線ドライバ１１２（データドライバーに相当。）に所定の信号（信号に相当。）を供給（供給に相当。）する、
　　　コントロール回路５０２（コントローラーに相当。）を含む、
　制御回路６（ディスプレイ駆動回路に相当。）。」（以下、これを「引用例１に記載された発明」という。）
　
が記載されていると認める。
　
（２）対比・判断
　本件補正発明１と引用例１に記載された発明とを対比する。
　　
　引用例１に記載された発明における「液晶表示パネル１０１の第２液晶表示部４部分」、「液晶表示パネル１０１の第１液晶表示部２部分」、「駆動」、「制御回路６」は、それぞれ、
　本件補正発明１における「第１パネル」、「第２パネル」、「駆動」、「ディスプレイ駆動回路」に相当する。
　さらに、引用例１に記載された発明における「複数の第１信号線１１１」、「第１信号線ドライバ１１２」、「表示モード」、「非表示モード」、「第２信号線１０７及び第１信号線１１１」、「コントロール回路５０２」、「所定の信号」、「供給」は、それぞれ、
　本件補正発明１における「複数のデータ線」、「データドライバー」、「オン状態」、「オフ状態」、「データ線」、「コントローラー」、「信号」、「供給」に相当する。
　
　したがって、両者は、
　
【一致点】
「第１パネルと第２パネルを駆動するディスプレイ駆動回路であって、
　前記第２パネルの複数のデータ線を駆動するデータドライバー、を含み
　　　　　　　　　　　　　　　　　　　前記第１パネルがオン状態で前記第２パネルがオフ状態とし、
　　　　　　　　　　　　　　　　　　　　　
　前記第１パネル及び第２パネルのデータ線にデータ信号を供給するコントローラーであって、前記データドライバーに信号を供給する、
　　　コントローラーを含む、
　ディスプレイ駆動回路。」
　
で一致し、
　
【相違点１】
「本件補正発明１では、ディスプレイ駆動回路が、
　前記第２パネルのデータ線に接続され、前記第１パネルがオン状態で前記第２パネルがオフ状態のときに、前記第２パネルのデータ線に参照電圧を印加する電位スイッチ回路、
　前記参照電位を前記第２パネルのデータ線に印加するかどうかを決めるためにスイッチ制御信号を前記電位スイッチ回路に伝達する制御バス、及び
　
　　　　　　　　　　　　　　　前記制御バスに前記スイッチ制御信号を供
給するコントローラーを含み、
　前記制御バスは前記第２パネルの複数のゲート線を駆動するゲートドライバーを経て前記コントローラーから前記第１パネルがオン状態で前記第２パネルがオフ状態のときに前記電位スイッチ回路が前記データ線に前記参照電位を印加するのを可能にする前記スイッチ制御信号を受信して前記電位スイッチ回路に伝達し、
　前記電位スイッチ回路は複数のスイッチを含み、前記各スイッチの１端は前記参照電位に接続され、前記各スイッチの他の１端は対応する前記データ線の１つに接続され、ここで、前記複数のスイッチの少なくとも１つはスイッチ制御信号に応じてオン／オフされる、
のに対して、
　引用例１に記載された発明では、制御回路６（ディスプレイ駆動回路に相当。）が、
　そのような構成を有していない点」
　
で相違する。
　
　そこで、上記【相違点１】について検討する。
　原査定の拒絶の理由に引用された本願の優先権主張の日前である平成１３年８月３日に頒布された特開２００１−２０９３５５号公報（以下、「引用例２」という。）には、図面とともに、
　
（２−１）
「【００３２】次に、上述したような通常動作の後、利用者により液晶表示装置オフの操作がなされ、入力信号が入力されなくなった場合について説明する。なお、本実施形態における液晶表示装置は、利用者によって液晶表示装置オフの要求を受けた後に、入力信号のみをオフにする操作が行われるものであり、電源の遮断は実施しないものとする。まず、入力信号が液晶表示装置に供給されなくなると、信号無入力検出回路６０は、入力信号が所定の時間、例えば水平同期信号の周期（図３（イ）のＨｒ）よりも長い間水平同期信号が入力されない状態を検出し、時刻ｔ１において判定信号ＰＯＷＣを“Ｌ”（図３の（ハ）参照）として、タイミングコントローラ７０内のワンショットマルチバイブレータ７１に出力する。ワンショットマルチバイブレータ７１は、“Ｌ”である判定信号ＰＯＷＣが入力されると、パルス幅がＴ時間であるパルス信号ＭＧを出力する（図３の（ニ）参照）。このパルス信号ＭＧは、ゲートドライバ１０内のシフトレジスタ１２のプリセットＰＲに供給されるとともに、ソースドライバ１１内の出力切替え回路１００へ供給される。なお、このパルス信号ＭＧのパルス幅Ｔは、単位画素に設けられている液晶容量ＣＬに蓄積されている電荷を放電するに十分な時間であり、ワンショットマルチバイブレータ７１内のコンデンサと、抵抗によって予め設定されている値である。
【００３３】そして、シフトレジスタ１２のプリセットＰＲに“Ｈ”であるパルス信号ＭＧが入力されると、シフトレジスタ３１は全てのゲート線Ｇ１〜Ｇｎに対して、“Ｈ”の信号を出力する。この状態はパルス信号ＭＧが立ち下がる時刻ｔ２まで保持される。一方、出力切替え回路１００は、“Ｈ”であるパルス信号ＭＧが入力されることにより、データ線Ｓ１〜Ｓｍへの入力信号供給経路を水平信号処理回路１６から共通電位Ｖｃｏｍへと切り替える。これにより、時刻ｔ１において、全てのデータ線Ｓ１〜Ｓｍは共通電位Ｖｃｏｍに固定される（図３（ヘ）参照）。
【００３４】これにより、単位画素（図４参照）では、ゲート線８２がアクティブ状態になることにより薄膜トランジスタ７２がオン状態とされ、データ線８０に印加されている共通電位Ｖｃｏｍが画素電極７４に供給されることにより、液晶容量ＣＬ、Ｃ１、Ｃ２の合成容量に蓄積されていた電荷はデータ線８０を介して放電する。この動作は全ての単位画素に一斉に実施される。」
　
が記載されており、これらの記載によると、
　
【引用例２に記載された発明】
「液晶表示装置のデータ線に接続され、　　　　　　　　液晶表示装置がオ
フ　　のときに、液晶表示装置のデータ線に共通電位Ｖｃｏｍ（参照電圧に相当。）を印加する出力切替え回路１００（電位スイッチ回路に相当。）、
　共通電位Ｖｃｏｍ（参照電圧に相当。）を液晶表示装置のデータ線に印加するかどうかを決めるためにパルス信号ＭＧ（スイッチ制御信号に相当。）を出力切替え回路１００（電位スイッチ回路に相当。）に伝達する、図１に示されたプログラミングコントローラ７０から出力切替え回路１００への信号線（制御バスに対応。）、及び
　
　前記信号線（制御バスに対応。）にパルス信号ＭＧ（スイッチ制御信号に相当。）を供
給する、信号無入力検出回路６０及びプログラミングコントローラ７０（コントローラーの一部に相当。）を含み、
　前記信号線（制御バスに対応。）は
　　　　　　　　信号無入力検出回路６０及びプログラミングコントローラ７０（コントローラーの一部に相当。）から　　　　　　　　　　　　　液晶表示装置がオフ　　のときに出力切替え回路１００（電位スイッチ回路に相当。）がデータ線に共通電位Ｖｃｏｍ（参照電圧に相当。）を印加するのを可能にするパルス信号ＭＧ（スイッチ制御信号に相当。）を受信して出力切替え回路１００（電位スイッチ回路に相当。）に伝達し、
　出力切替え回路１００（電位スイッチ回路に相当。）は複数のスイッチ（複数のスイッチに相当。）を含み、各スイッチの１端は共通電位Ｖｃｏｍ（参照電圧に相当。）に接続され、各スイッチの他の１端は対応するデータ線の１つに接続され、ここで、複数のスイッチ（複数のスイッチの少なくとも１つに相当。）はパルス信号ＭＧ（スイッチ制御信号に相当。）に応じてオン／オフされる、
  液晶表示装置の駆動回路。」（以下、これを「引用例２に記載された発明」という。）
　
が認められる。
　
　したがって、引用例１に記載された発明に、引用例２に記載された発明である、液晶表示装置の駆動回路を付加して、
　その制御回路６（ディスプレイ駆動回路に相当。）を、
　液晶表示パネル１０１の第１液晶表示部２部分（第２パネルに相当。）の第１信号線１１１（データ線に相当。）に接続され、液晶表示パネル１０１の第２液晶表示部４部分（第１パネルに相当。）が表示モード（オン状態に相当。）で液晶表示パネル１０１の第１液晶表示部２部分（第２パネルに相当。）が非表示モード（オフ状態に相当。）のときに、液晶表示パネル１０１の第１液晶表示部２部分（第２パネルに相当。）の第１信号線１１１（データ線に相当。）に共通電位Ｖｃｏｍ（参照電圧に相当。）を印加する出力切替え回路１００（電位スイッチ回路に相当。）、
　共通電位Ｖｃｏｍ（参照電圧に相当。）を液晶表示パネル１０１の第１液晶表示部２部分（第２パネルに相当。）の第１信号線１１１（データ線に相当。）に印加するかどうかを決めるためにパルス信号ＭＧ（スイッチ制御信号に相当。）を出力切替え回路１００（電位スイッチ回路に相当。）に伝達する、図１に示されたプログラミングコントローラ７０から出力切替え回路１００への信号線（制御バスに対応。）、及び
 前記信号線（制御バスに対応。）にパルス信号ＭＧ（スイッチ制御信号に相当。）を供
給する、信号無入力検出回路６０及びプログラミングコントローラ７０（コントローラーの一部に相当。）を有するコントロール回路５０２（コントローラーに相当。）を含み、
　前記信号線（制御バスに対応。）は
　　　　　　　　信号無入力検出回路６０及びプログラミングコントローラ７０（コントローラーの一部に相当。）から液晶表示パネル１０１の第２液晶表示部４部分（第１パネルに相当。）が表示モード（オン状態に相当。）で液晶表示パネル１０１の第１液晶表示部２部分（第２パネルに相当。）が非表示モード（オフ状態に相当。）のときに出力切替え回路１００（電位スイッチ回路に相当。）が第１信号線１１１（データ線に相当。）に共通電位Ｖｃｏｍ（参照電圧に相当。）を印加するのを可能にするパルス信号ＭＧ（スイッチ制御信号に相当。）を受信して出力切替え回路１００（電位スイッチ回路に相当。）に伝達し、
　出力切替え回路１００（電位スイッチ回路に相当。）は複数のスイッチ（複数のスイッチに相当。）を含み、各スイッチの１端は共通電位Ｖｃｏｍ（参照電圧に相当。）に接続され、各スイッチの他の１端は対応する第１信号線１１１（データ線に相当。）の１つに接続され、ここで、複数のスイッチ（複数のスイッチの少なくとも１つに相当。）はパルス信号ＭＧ（スイッチ制御信号に相当。）に応じてオン／オフされる、
ように構成することは、当業者が容易になし得ることである。
　その際、信号線（制御バスに対応。）を、制御バスとし、
液晶表示パネル１０１の第１液晶表示部２部分（第２パネルに相当。）の複数の第１走査線１０９（ゲート線に相当。）を駆動する第１走査線ドライバ１１０（ゲートドライバーに相当。）を経て、パルス信号ＭＧ（スイッチ制御信号に相当。）を出力切替え回路１００（電位スイッチ回路に相当。）に伝達するようにすることは、単なる設計事項にすぎない。
　
　そして、本件補正発明１の効果は、引用例１に記載された発明及び引用例２に記載された発明に基づいて当業者が予測可能な範囲のものである。
　
　したがって、本件補正発明１は、引用例１に記載された発明及び引用例２に記載された発明に基づいて当業者が容易に発明をすることができたものであるから、特許法第２９条第２項の規定により特許出願の際独立して特許を受けることができないものである。
　
（３）むすび
　以上のとおり、本件補正は、平成１８年法律第５５号改正附則第３条第１項によりなお従前の例とされる同法による改正前特許法第１７条の２第５項において準用する同法第１２６条第５項の規定に違反するものであるから、同法第１５９条第１項の規定において読み替えて準用する同法第５３条第１項の規定により却下すべきものである。
　
 ３．本願発明について
　平成２１年１０月１４日付けの手続補正は上記のとおり却下されたので、本願の請求項１ないし８に係る発明は、平成２１年４月２８日付け手続補正書の特許請求の範囲の請求項１ないし１２に記載されたとおりのものであると認められるところ、その請求項１に係る発明（以下、「本願発明１」という。）は次のとおりである。
　
「　【請求項１】
　第１パネルと第２パネルを駆動するディスプレイ駆動回路であって、
　前記第２パネルの複数のデータ線を駆動するデータドライバー、及び
　前記第２パネルのデータ線に接続され、前記第１パネルがオン状態で前記第２パネルがオフ状態のときに、前記第２パネルのデータ線に参照電圧を印加する電位スイッチ回路　を含むディスプレイ駆動回路。」
　
（１）引用例記載の発明
　引用例に記載された発明は、前記「２．（１）」に記載したとおりである。
　
（２）対比・判断
　本願発明１は、前記「２．」で検討した本件補正発明１から、
「前記参照電位を前記第２パネルのデータ線に印加するかどうかを決めるためにスイッチ制御信号を前記電位スイッチ回路に伝達する制御バス、及び
　前記第１パネル及び第２パネルのデータ線にデータ信号を供給するコントローラーであって、前記データドライバーに信号を供給し、前記制御バスに前記スイッチ制御信号を供給するコントローラーを含み、
　前記制御バスは前記第２パネルの複数のゲート線を駆動するゲートドライバーを経て前記コントローラーから前記第１パネルがオン状態で前記第２パネルがオフ状態のときに前記電位スイッチ回路が前記データ線に前記参照電位を印加するのを可能にする前記スイッチ制御信号を受信して前記電位スイッチ回路に伝達し、
　前記電位スイッチ回路は複数のスイッチを含み、前記各スイッチの１端は前記参照電位に接続され、前記各スイッチの他の１端は対応する前記データ線の１つに接続され、ここで、前記複数のスイッチの少なくとも１つはスイッチ制御信号に応じてオン／オフされる、」
を削除したものである。
　そうすると、本願発明１の構成を全て含み、さらに他の発明特定事項を付加したものに相当する本件補正発明１が、前記「２．（２）」に記載したとおり引用例１に記載された発明及び引用例２に記載された発明に基づいて当業者が容易に発明をすることができたものであるから、本願発明１も、本件補正発明１についての判断で示したのと同様の理由により、引用例１に記載された発明及び引用例２に記載された発明に基づいて当業者が容易に発明をすることができたものである。
　
（３）むすび
　以上のとおり、本願発明１は、引用例１に記載された発明及び引用例２に記載された発明に基づいて当業者が容易に発明をすることができたものであるから、特許法第２９条第２項の規定により特許を受けることができない。
　そして、本願発明１が特許を受けることができないものであるから、その余の請求項２〜８係る発明について検討するまでもなく、本願は拒絶すべきものである。
　よって、結論のとおり審決する。